(57)【要約】【課題】本発明は自動化送り設備を開示した。【解決手段】主台体と前記主台体の底部に固定的に設置される支持台を含み、前記主台体に安置筐体が設置され、前記安置筐体の内頂壁に第一キャビティが設置され、前記第一キャビティの左側の前記主台体に第一滑り移動筐体が設置され、前記安置筐体の内底壁に第一案内移動溝が設置され、前記第一案内移動溝に第一案内移動ブロックが摺動可能なように係合して接続され、前記第一案内移動ブロックに左右に伸びて設置される第一ねじレバーがねじで係合し接続され、前記主台体の右側端面に前記安置筐体に挿し込む箱体が摺動可能なように係合して接続され、前記箱体の底部の左側縁部に近づく所が前記第一案内移動ブロックの底部端面と固定的に係合し接続し、前記安置筐体の左側内壁に第二案内移動溝が設置され、前記第二案内移動溝の左側内壁に上に伸びて設置される第二滑り移動筐体が設置される。【選択図】図1
2019181671.tif 000002
【特許請求の範囲】
【請求項１】
自動化送り設備であって、主台体と前記主台体の底部に固定的に設置される支持台を含み、前記主台体に安置筐体が設置され、前記安置筐体の内頂壁に第一キャビティが設置され、前記第一キャビティの左側の前記主台体に第一滑り移動筐体が設置され、前記安置筐体の内底壁に第一案内移動溝が設置され、前記第一案内移動溝に第一案内移動ブロックが摺動可能なように係合して接続され、前記第一案内移動ブロックに左右に伸びて設置される第一ねじレバーがねじで係合し接続され、前記主台体の右側端面に前記安置筐体に挿し込む箱体が摺動可能なように係合して接続され、前記箱体の底部の左側縁部に近づく所が前記第一案内移動ブロックの底部端面と固定的に係合し接続し、前記安置筐体の左側内壁に第二案内移動溝が設置され、前記第二案内移動溝の左側内壁に上に伸びて設置される第二滑り移動筐体が設置され、前記第二滑り移動筐体の頂部延長末端が前記第一滑り移動筐体の底部端と連結するように設置し、前記第二案内移動溝に第二案内移動ブロックが摺動可能なように係合して接続され、前記第二案内移動ブロックの右側末端に前記安置筐体に挿し込む斜ブロックが固定的に設置され、前記第二案内移動ブロックに上下に伸びて設置される案内移動レバーが摺動可能なように係合して接続され、前記第二案内移動ブロックの上側の前記案内移動レバー体の外表面に弾圧件が回転可能なように設置され、前記第二滑り移動筐体に第一滑り移動ブロックが摺動可能なように係合して接続され、前記第一滑り移動ブロックの右側端面の底部位置に近づく所が前記第二案内移動ブロックの左端末端と固定的に係合し接続し、前記第一滑り移動ブロックの頂部に斜状部が固定的に設置され、前記第一滑り移動筐体に第二滑り移動ブロックが摺動可能なように係合して接続され、前記第二滑り移動ブロックの左側末端と前記第一滑り移動筐体の左側内壁の間にラケットが固定的に設置され、前記第二滑り移動ブロックの底部端面に前記斜状部と押圧し摺動可能なように係合して接続される斜状溝が設置され、前記第二滑り移動ブロックの右側端面に第一内スプラインアームが回転可能なように係合し接続され、前記第一内スプラインアームの左側末端に第一モーターが動力が伝達可能なように接続され、前記第一モーターの外表面が前記第一内スプラインアームの左側の前記第二滑り移動ブロックに固定的に設置され、前記第一滑り移動筐体と前記第一キャビティの間の部分に左右に伸びて設置される第一回転ピン軸が回転可能なように係合し接続され、前記第一回転ピン軸の左側末端に前記第一滑り移動筐体に挿し込む第一外スプラインアームが固定的に設置され、前記第一回転ピン軸の右側末端に前記第一キャビティに挿し込む取付体が固定的に設置され、前記取付体の底部に加工機体が固定的に設置され、前記第一ねじレバーの左側延長末端が第二モーターと動力が伝達可能なように係合し接続され、前記第二モーターの外表面は前記第一案内移動溝の左側内壁に固定的に設置され、前記第一ねじレバーの右側末端が前記第一案内移動溝の右側内壁と回転可能なように係合し接続され、前記案内移動レバーの上下両側の延長末端がそれぞれ前記第二案内移動溝の上下内壁と固定的に係合し接続され、前記箱体の左側端面に前記斜ブロックと押圧し摺動可能なように係合し接続される斜状筐体が設置され、前記箱体の頂部端面に積載筐体が設置され、前記積載筐体の下側の前記箱体に転送筐体が設置され、前記積載筐体に平板が摺動可能なように係合して接続され、前記平板の底部端面に下に延びて設置される管セットが固定的に設置され、前記管セットに下に延びて設置される第二ねじレバーがねじで係合し接続され、前記転送筐体の内頂壁に第一円錐形プーリーが回転可能なように係合し接続され、前記第二ねじレバーの底部延長末端が前記第一円錐形プーリーの頂部末端と動力が伝達可能なように係合し接続され、前記転送筐体の左側の前記箱体に左右に延びて設置される第二回転ピン軸が回転可能なように係合し接続され、前記第二回転ピン軸の左側末端に前記箱体の左側端面外に伸びる第二外スプラインアームが設置され、前記第二回転ピン軸の右側末端に前記転送筐体に挿し込む前記第一円錐形プーリーと動力が伝達可能なように係合し接続される第二円錐形プーリーが固定的に設置され、前記第二外スプラインアームが対応する前記安置筐体の左側内壁に第二内スプラインアームが回転可能なように係合し接続され、前記第二内スプラインアームの左側末端が第三モーターと動力が伝達可能なように係合し接続し、前記第三モーターの外表面が前記第二内スプラインアームの左側の前記箱体に固定的に設置されることを特徴とする自動化送り設備。
【発明の詳細な説明】
【技術分野】
【０００１】
本発明は機械設備分野に関し、具体的には自動化送り設備に関する。
【背景技術】
【０００２】
材料を加工する過程において、材料を送って加工する必要があり、現在の送り設備がただ送り仕込みであり、物品を指定加工区域に送達した後に加工する必要な材料を調整できなく、加工に影響があり、そして現在の送り設備が加工設備と分けて、単独で加工と送りを制御する必要があり、操作ステップが複雑である。
【先行技術文献】
【特許文献】
【０００３】
【特許文献１】中国特許出願公開第103358011号明細書
【発明の概要】
【発明が解決しようとする課題】
【０００４】
本発明は解決する必要な技術問題に対して自動化送り設備を提供し、それは上記の現在の技術問題を解決できる。
【課題を解決するための手段】
【０００５】
本発明の自動化送り設備は主台体と前記主台体の底部に固定的に設置される支持台を含み、前記主台体に安置筐体が設置され、前記安置筐体の内頂壁に第一キャビティが設置され、前記第一キャビティの左側の前記主台体に第一滑り移動筐体が設置され、前記安置筐体の内底壁に第一案内移動溝が設置され、前記第一案内移動溝に第一案内移動ブロックが摺動可能なように係合して接続され、前記第一案内移動ブロックに左右に伸びて設置される第一ねじレバーがねじで係合し接続され、前記主台体の右側端面に前記安置筐体に挿し込む箱体が摺動可能なように係合して接続され、前記箱体の底部の左側縁部に近づく所が前記第一案内移動ブロックの底部端面と固定的に係合し接続し、前記安置筐体の左側内壁に第二案内移動溝が設置され、前記第二案内移動溝の左側内壁に上に伸びて設置される第二滑り移動筐体が設置され、前記第二滑り移動筐体の頂部延長末端が前記第一滑り移動筐体の底部端と連結するように設置し、前記第二案内移動溝に第二案内移動ブロックが摺動可能なように係合して接続され、前記第二案内移動ブロックの右側末端に前記安置筐体に挿し込む斜ブロックが固定的に設置され、前記第二案内移動ブロックに上下に伸びて設置される案内移動レバーが摺動可能なように係合して接続され、前記第二案内移動ブロックの上側の前記案内移動レバー体の外表面に弾圧件が回転可能なように設置され、前記第二滑り移動筐体に第一滑り移動ブロックが摺動可能なように係合して接続され、前記第一滑り移動ブロックの右側端面の底部位置に近づく所が前記第二案内移動ブロックの左端末端と固定的に係合し接続し、前記第一滑り移動ブロックの頂部に斜状部が固定的に設置され、前記第一滑り移動筐体に第二滑り移動ブロックが摺動可能なように係合して接続され、前記第二滑り移動ブロックの左側末端と前記第一滑り移動筐体の左側内壁の間にラケットが固定的に設置され、前記第二滑り移動ブロックの底部端面に前記斜状部と押圧し摺動可能なように係合して接続される斜状溝が設置され、前記第二滑り移動ブロックの右側端面に第一内スプラインアームが回転可能なように係合し接続され、前記第一内スプラインアームの左側末端に第一モーターが動力が伝達可能なように接続され、前記第一モーターの外表面が前記第一内スプラインアームの左側の前記第二滑り移動ブロックに固定的に設置され、前記第一滑り移動筐体と前記第一キャビティの間の部分に左右に伸びて設置される第一回転ピン軸が回転可能なように係合し接続され、前記第一回転ピン軸の左側末端に前記第一滑り移動筐体に挿し込む第一外スプラインアームが固定的に設置され、前記第一回転ピン軸の右側末端に前記第一キャビティに挿し込む取付体が固定的に設置され、前記取付体の底部に加工機体が固定的に設置される。
【０００６】
更の技術方案として前記第一ねじレバーの左側延長末端が第二モーターと動力が伝達可能なように係合し接続され、前記第二モーターの外表面は前記第一案内移動溝の左側内壁に固定的に設置され、前記第一ねじレバーの右側末端が前記第一案内移動溝の右側内壁と回転可能なように係合し接続され、前記案内移動レバーの上下両側の延長末端がそれぞれ前記第二案内移動溝の上下内壁と固定的に係合し接続される。
【０００７】
更の技術方案として前記箱体の左側端面に前記斜ブロックと押圧し摺動可能なように係合し接続される斜状筐体が設置され、前記箱体の頂部端面に積載筐体が設置され、前記積載筐体の下側の前記箱体に転送筐体が設置され、前記積載筐体に平板が摺動可能なように係合して接続され、前記平板の底部端面に下に延びて設置される管セットが固定的に設置され、前記管セットに下に延びて設置される第二ねじレバーがねじで係合し接続され、前記転送筐体の内頂壁に第一円錐形プーリーが回転可能なように係合し接続され、前記第二ねじレバーの底部延長末端が前記第一円錐形プーリーの頂部末端と動力が伝達可能なように係合し接続され、前記転送筐体の左側の前記箱体に左右に延びて設置される第二回転ピン軸が回転可能なように係合し接続され、前記第二回転ピン軸の左側末端に前記箱体の左側端面外に伸びる第二外スプラインアームが設置され、前記第二回転ピン軸の右側末端に前記転送筐体に挿し込む前記第一円錐形プーリーと動力が伝達可能なように係合し接続される第二円錐形プーリーが固定的に設置され、前記第二外スプラインアームが対応する前記安置筐体の左側内壁に第二内スプラインアームが回転可能なように係合し接続され、前記第二内スプラインアームの左側末端が第三モーターと動力が伝達可能なように係合し接続し、前記第三モーターの外表面が前記第二内スプラインアームの左側の前記箱体に固定的に設置される。
【０００８】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動して弾圧件の押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【発明の効果】
【０００９】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動して弾圧件の押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【図面の簡単な説明】
【００１０】
【図１】図１は本発明の自動化送り設備の外部全体構造概略図である。
【図２】図２は本発明の主台体の内部構造概略図である。
【図３】図３は本発明の取付体の構造概略図である。
【発明を実施するための形態】
【００１１】
下記では図1〜3を交え、本発明について詳しく説明する。
【００１２】
図1~3を参照し、本発明の実施例の自動化送り設備は主台体6と前記主台体6の底部に固定的に設置される支持台7を含み、前記主台体6に安置筐体61が設置され、前記安置筐体61の内頂壁に第一キャビティ62が設置され、前記第一キャビティ62の左側の前記主台体6に第一滑り移動筐体63が設置され、前記安置筐体61の内底壁に第一案内移動溝611が設置され、前記第一案内移動溝611に第一案内移動ブロック613が摺動可能なように係合して接続され、前記第一案内移動ブロック613に左右に伸びて設置される第一ねじレバー612がねじで係合し接続され、前記主台体6の右側端面に前記安置筐体61に挿し込む箱体5が摺動可能なように係合して接続され、前記箱体5の底部の左側縁部に近づく所が前記第一案内移動ブロック613の底部端面と固定的に係合し接続し、前記安置筐体61の左側内壁に第二案内移動溝64が設置され、前記第二案内移動溝64の左側内壁に上に伸びて設置される第二滑り移動筐体65が設置され、前記第二滑り移動筐体65の頂部延長末端が前記第一滑り移動筐体63の底部端と連結するように設置し、前記第二案内移動溝64に第二案内移動ブロック641が摺動可能なように係合して接続され、前記第二案内移動ブロック641の右側末端に前記安置筐体61に挿し込む斜ブロック642が固定的に設置され、前記第二案内移動ブロック641に上下に伸びて設置される案内移動レバー643が摺動可能なように係合して接続され、前記第二案内移動ブロック641の上側の前記案内移動レバー体643の外表面に弾圧件644が回転可能なように設置され、前記第二滑り移動筐体65に第一滑り移動ブロック651が摺動可能なように係合して接続され、前記第一滑り移動ブロック651の右側端面の底部位置に近づく所が前記第二案内移動ブロック641の左端末端と固定的に係合し接続し、前記第一滑り移動ブロック651の頂部に斜状部652が固定的に設置され、前記第一滑り移動筐体63に第二滑り移動ブロック631が摺動可能なように係合して接続され、前記第二滑り移動ブロック631の左側末端と前記第一滑り移動筐体63の左側内壁の間にラケット633が固定的に設置され、前記第二滑り移動ブロック631の底部端面に前記斜状部652と押圧し摺動可能なように係合して接続される斜状溝632が設置され、前記第二滑り移動ブロック631の右側端面に第一内スプラインアーム635が回転可能なように係合し接続され、前記第一内スプラインアーム635の左側末端に第一モーター634が動力が伝達可能なように接続され、前記第一モーター634の外表面が前記第一内スプラインアーム635の左側の前記第二滑り移動ブロック631に固定的に設置され、前記第一滑り移動筐体63と前記第一キャビティ62の間の部分に左右に伸びて設置される第一回転ピン軸636が回転可能なように係合し接続され、前記第一回転ピン軸636の左側末端に前記第一滑り移動筐体63に挿し込む第一外スプラインアーム637が固定的に設置され、前記第一回転ピン軸636の右側末端に前記第一キャビティ62に挿し込む取付体621が固定的に設置され、前記取付体621の底部に加工機体622が固定的に設置される。
【００１３】
好ましくは、前記第一ねじレバー612の左側延長末端が第二モーター614と動力が伝達可能なように係合し接続され、前記第二モーター614の外表面は前記第一案内移動溝611の左側内壁に固定的に設置され、前記第一ねじレバー612の右側末端が前記第一案内移動溝611の右側内壁と回転可能なように係合し接続され、前記案内移動レバー643の上下両側の延長末端がそれぞれ前記第二案内移動溝64の上下内壁と固定的に係合し接続され、これにより本装置の運行安定性を高める。
【００１４】
好ましくは、前記箱体5の左側端面に前記斜ブロック642と押圧し摺動可能なように係合し接続される斜状筐体52が設置され、前記箱体5の頂部端面に積載筐体51が設置され、前記積載筐体51の下側の前記箱体5に転送筐体53が設置され、前記積載筐体51に平板511が摺動可能なように係合して接続され、前記平板511の底部端面に下に延びて設置される管セット512が固定的に設置され、前記管セット512に下に延びて設置される第二ねじレバー513がねじで係合し接続され、前記転送筐体53の内頂壁に第一円錐形プーリー531が回転可能なように係合し接続され、前記第二ねじレバー513の底部延長末端が前記第一円錐形プーリー531の頂部末端と動力が伝達可能なように係合し接続され、前記転送筐体53の左側の前記箱体5に左右に延びて設置される第二回転ピン軸533が回転可能なように係合し接続され、前記第二回転ピン軸533の左側末端に前記箱体5の左側端面外に伸びる第二外スプラインアーム634が設置され、前記第二回転ピン軸533の右側末端に前記転送筐体53に挿し込む前記第一円錐形プーリー531と動力が伝達可能なように係合し接続される第二円錐形プーリー532が固定的に設置され、前記第二外スプラインアーム634が対応する前記安置筐体61の左側内壁に第二内スプラインアーム615が回転可能なように係合し接続され、前記第二内スプラインアーム615の左側末端が第三モーター614と動力が伝達可能なように係合し接続し、前記第三モーター614の外表面が前記第二内スプラインアーム615の左側の前記箱体5に固定的に設置され、これにより自動的に平板511の昇降作業を制御し、異なる送りの作業需要を満足し、仕事の効率を大きく高める。
【００１５】
初期状態の時に、箱体5の右側延長末端が最大程度に主台体6の右側端面の外に伸びて、この時に箱体5の頂部端面の積載筐体51が完全に主台体6の右側端面に伸びて、同時に第一案内移動ブロック613が第一案内移動溝611の一番右側の位置に位置し、この時に第二案内移動ブロック641が弾圧件644の押圧力のもとで第二案内移動溝64の一番底部位置にスライドし、同時に第二案内移動ブロック641が第一滑り移動ブロック651と連動して最大程度に第二滑り移動筐体65の一番底部位置にスライドし、この時に第二案内移動ブロック641が斜状部652と連動して第二滑り移動筐体65に完全に挿し込んで、同時に第二滑り移動ブロック631がラケット633の伸張力のもとで最大程度に第一滑り移動筐体63の左側位置に移動し、この時に第二滑り移動ブロック631が第一内スプラインアーム635と連動して最大程度に第一外スプラインアーム637と離れる。
【００１６】
材料を送って作業する時に、送る必要な材料を積載筐体51の平板511の頂部に置いて、次に第二モーター614を制御し第一ねじレバー612と連動して回転し、第一ねじレバー612が第一案内移動ブロック613と連動して第一案内移動溝611の左側方向にスライドし、同時に第一案内移動ブロック613が箱体5と連動して安置筐体61に挿し込み、第一案内移動ブロック613が第一案内移動溝611の一番左側位置にスライドする時、第一案内移動ブロック613が箱体5と連動して完全に安置筐体61に挿し込み、同時に、斜状筐体52が斜状ブロック642と押圧し摺動可能なように係合し、同時に箱体5の左側端の第二外スプラインアーム534が第二内スプラインアーム615と完全に動力が伝達可能なように係合し接続し、斜状ブロック642が第二案内移動ブロック641と連動して弾圧件644の押圧力を克服し第二案内移動溝64の一番頂部位置にスライドし、同時に斜状ブロック642が斜状筐体52の一番頂部位置にスライドし、この時に第二案内移動ブロック641が第一滑り移動ブロック651の頂部の斜状部652と斜状溝632と連動して押圧し摺動可能なように係合して作業し、斜状部652が最大程度に第二滑り移動ブロック631と連動してラケット633の伸張力を克服し第一滑り移動筐体63の一番右側位置にスライドし、同時に第一内スプラインアーム635と第一外スプラインアーム637が完全に動力が伝達可能なように係合し接続し、第二モーター614が第二内スプラインアーム615を制御し第二外スプラインアーム534と第二回転ピン軸533と第二円錐形プーリー532と連動して回転し、第二円錐形プーリー532が第一円錐形プーリー531と第二ねじレバー513と連動して回転し、第二ねじレバー513が管セット512の頂部の平板511と連動して上下昇降スライド作業を実現し、第一モーター634が第一内スプラインアーム635と第一外スプラインアーム637と第一回転ピン軸636を制御し回転し、第一回転ピン軸636が取付体621の底部の加工機体622と連動して角度調整作業を行う。
【００１７】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動して弾圧件の押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【００１８】
本分野の技術者にとって明確なのは、本発明の全体精神と構想から離れない場合において、上記の実施例に各種な取替ができることである。それらの取替は全部本発明の保護範囲にある。本発明の保護方案は添付した特許請求の範囲を基準とする。
【図１】
2019181671.tif 000003
【図２】
2019181671.tif 000004
【図３】
2019181671.tif 000005
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
自動化送り設備であって、主台体と前記主台体の底部に固定的に設置される支持台を含み、前記主台体に安置筐体が設置され、前記安置筐体の内頂壁に第一キャビティが設置され、前記第一キャビティの左側の前記主台体に第一滑り移動筐体が設置され、前記安置筐体の内底壁に第一案内移動溝が設置され、前記第一案内移動溝に第一案内移動ブロックが摺動可能なように係合して接続され、前記第一案内移動ブロックに左右に伸びて設置される第一ねじレバーがねじで係合し接続され、前記主台体の右側端面に前記安置筐体に挿し込む箱体が摺動可能なように係合して接続され、前記箱体の底部の左側縁部に近づく所が前記第一案内移動ブロックの底部端面と固定的に係合し接続し、前記安置筐体の左側内壁に第二案内移動溝が設置され、前記第二案内移動溝の左側内壁に上に伸びて設置される第二滑り移動筐体が設置され、前記第二滑り移動筐体の頂部延長末端が前記第一滑り移動筐体の底部端と連結するように設置し、前記第二案内移動溝に第二案内移動ブロックが摺動可能なように係合して接続され、前記第二案内移動ブロックの右側末端に前記安置筐体に挿し込む斜ブロックが固定的に設置され、前記第二案内移動ブロックに上下に伸びて設置される案内移動レバーが摺動可能なように係合して接続され、前記第二案内移動ブロックの上側の前記案内移動レバーの外表面にばねが回転可能なように設置され、前記第二滑り移動筐体に第一滑り移動ブロックが摺動可能なように係合して接続され、前記第一滑り移動ブロックの右側端面の底部位置に近づく所が前記第二案内移動ブロックの左端末端と固定的に係合し接続し、前記第一滑り移動ブロックの頂部に斜状部が固定的に設置され、前記第一滑り移動筐体に第二滑り移動ブロックが摺動可能なように係合して接続され、前記第二滑り移動ブロックの左側末端と前記第一滑り移動筐体の左側内壁の間にラケットが固定的に設置され、前記第二滑り移動ブロックの底部端面に前記斜状部と押圧し摺動可能なように係合して接続される斜状溝が設置され、前記第二滑り移動ブロックの右側端面に第一内スプラインアームが回転可能なように係合し接続され、前記第一内スプラインアームの左側末端に第一モーターが動力が伝達可能なように接続され、前記第一モーターの外表面が前記第一内スプラインアームの左側の前記第二滑り移動ブロックに固定的に設置され、前記第一滑り移動筐体と前記第一キャビティの間の部分に左右に伸びて設置される第一回転ピン軸が回転可能なように係合し接続され、前記第一回転ピン軸の左側末端に前記第一滑り移動筐体に挿し込む第一外スプラインアームが固定的に設置され、前記第一回転ピン軸の右側末端に前記第一キャビティに挿し込む取付体が固定的に設置され、前記取付体の底部に加工機体が固定的に設置され、前記第一ねじレバーの左側延長末端が第二モーターと動力が伝達可能なように係合し接続され、前記第二モーターの外表面は前記第一案内移動溝の左側内壁に固定的に設置され、前記第一ねじレバーの右側末端が前記第一案内移動溝の右側内壁と回転可能なように係合し接続され、前記案内移動レバーの上下両側の延長末端がそれぞれ前記第二案内移動溝の上下内壁と固定的に係合し接続され、前記箱体の左側端面に前記斜ブロックと押圧し摺動可能なように係合し接続される斜状筐体が設置され、前記箱体の頂部端面に積載筐体が設置され、前記積載筐体の下側の前記箱体に転送筐体が設置され、前記積載筐体に平板が摺動可能なように係合して接続され、前記平板の底部端面に下に延びて設置される管セットが固定的に設置され、前記管セットに下に延びて設置される第二ねじレバーがねじで係合し接続され、前記転送筐体の内頂壁に第一円錐形プーリーが回転可能なように係合し接続され、前記第二ねじレバーの底部延長末端が前記第一円錐形プーリーの頂部末端と動力が伝達可能なように係合し接続され、前記転送筐体の左側の前記箱体に左右に延びて設置される第二回転ピン軸が回転可能なように係合し接続され、前記第二回転ピン軸の左側末端に前記箱体の左側端面外に伸びる第二外スプラインアームが設置され、前記第二回転ピン軸の右側末端に前記転送筐体に挿し込む前記第一円錐形プーリーと動力が伝達可能なように係合し接続される第二円錐形プーリーが固定的に設置され、前記第二外スプラインアームが対応する前記安置筐体の左側内壁に第二内スプラインアームが回転可能なように係合し接続され、前記第二内スプラインアームの左側末端が第三モーターと動力が伝達可能なように係合し接続し、前記第三モーターの外表面が前記第二内スプラインアームの左側の前記箱体に固定的に設置されることを特徴とする自動化送り設備。
【手続補正２】
【補正対象書類名】明細書
【補正対象項目名】全文
【補正方法】変更
【補正の内容】
【発明の詳細な説明】
【技術分野】
【０００１】
本発明は機械設備分野に関し、具体的には自動化送り設備に関する。
【背景技術】
【０００２】
材料を加工する過程において、材料を送って加工する必要があり、現在の送り設備がただ送り仕込みであり、物品を指定加工区域に送達した後に加工する必要な材料を調整できなく、加工に影響があり、そして現在の送り設備が加工設備と分けて、単独で加工と送りを制御する必要があり、操作ステップが複雑である。
【先行技術文献】
【特許文献】
【０００３】
【特許文献１】中国特許出願公開第103358011号明細書
【発明の概要】
【発明が解決しようとする課題】
【０００４】
本発明は解決する必要な技術問題に対して自動化送り設備を提供し、それは上記の現在の技術問題を解決できる。
【課題を解決するための手段】
【０００５】
本発明の自動化送り設備は主台体と前記主台体の底部に固定的に設置される支持台を含み、前記主台体に安置筐体が設置され、前記安置筐体の内頂壁に第一キャビティが設置され、前記第一キャビティの左側の前記主台体に第一滑り移動筐体が設置され、前記安置筐体の内底壁に第一案内移動溝が設置され、前記第一案内移動溝に第一案内移動ブロックが摺動可能なように係合して接続され、前記第一案内移動ブロックに左右に伸びて設置される第一ねじレバーがねじで係合し接続され、前記主台体の右側端面に前記安置筐体に挿し込む箱体が摺動可能なように係合して接続され、前記箱体の底部の左側縁部に近づく所が前記第一案内移動ブロックの底部端面と固定的に係合し接続し、前記安置筐体の左側内壁に第二案内移動溝が設置され、前記第二案内移動溝の左側内壁に上に伸びて設置される第二滑り移動筐体が設置され、前記第二滑り移動筐体の頂部延長末端が前記第一滑り移動筐体の底部端と連結するように設置し、前記第二案内移動溝に第二案内移動ブロックが摺動可能なように係合して接続され、前記第二案内移動ブロックの右側末端に前記安置筐体に挿し込む斜ブロックが固定的に設置され、前記第二案内移動ブロックに上下に伸びて設置される案内移動レバーが摺動可能なように係合して接続され、前記第二案内移動ブロックの上側の前記案内移動レバーの外表面にばねが回転可能なように設置され、前記第二滑り移動筐体に第一滑り移動ブロックが摺動可能なように係合して接続され、前記第一滑り移動ブロックの右側端面の底部位置に近づく所が前記第二案内移動ブロックの左端末端と固定的に係合し接続し、前記第一滑り移動ブロックの頂部に斜状部が固定的に設置され、前記第一滑り移動筐体に第二滑り移動ブロックが摺動可能なように係合して接続され、前記第二滑り移動ブロックの左側末端と前記第一滑り移動筐体の左側内壁の間にラケットが固定的に設置され、前記第二滑り移動ブロックの底部端面に前記斜状部と押圧し摺動可能なように係合して接続される斜状溝が設置され、前記第二滑り移動ブロックの右側端面に第一内スプラインアームが回転可能なように係合し接続され、前記第一内スプラインアームの左側末端に第一モーターが動力が伝達可能なように接続され、前記第一モーターの外表面が前記第一内スプラインアームの左側の前記第二滑り移動ブロックに固定的に設置され、前記第一滑り移動筐体と前記第一キャビティの間の部分に左右に伸びて設置される第一回転ピン軸が回転可能なように係合し接続され、前記第一回転ピン軸の左側末端に前記第一滑り移動筐体に挿し込む第一外スプラインアームが固定的に設置され、前記第一回転ピン軸の右側末端に前記第一キャビティに挿し込む取付体が固定的に設置され、前記取付体の底部に加工機体が固定的に設置される。
【０００６】
更の技術方案として前記第一ねじレバーの左側延長末端が第二モーターと動力が伝達可能なように係合し接続され、前記第二モーターの外表面は前記第一案内移動溝の左側内壁に固定的に設置され、前記第一ねじレバーの右側末端が前記第一案内移動溝の右側内壁と回転可能なように係合し接続され、前記案内移動レバーの上下両側の延長末端がそれぞれ前記第二案内移動溝の上下内壁と固定的に係合し接続される。
【０００７】
更の技術方案として前記箱体の左側端面に前記斜ブロックと押圧し摺動可能なように係合し接続される斜状筐体が設置され、前記箱体の頂部端面に積載筐体が設置され、前記積載筐体の下側の前記箱体に転送筐体が設置され、前記積載筐体に平板が摺動可能なように係合して接続され、前記平板の底部端面に下に延びて設置される管セットが固定的に設置され、前記管セットに下に延びて設置される第二ねじレバーがねじで係合し接続され、前記転送筐体の内頂壁に第一円錐形プーリーが回転可能なように係合し接続され、前記第二ねじレバーの底部延長末端が前記第一円錐形プーリーの頂部末端と動力が伝達可能なように係合し接続され、前記転送筐体の左側の前記箱体に左右に延びて設置される第二回転ピン軸が回転可能なように係合し接続され、前記第二回転ピン軸の左側末端に前記箱体の左側端面外に伸びる第二外スプラインアームが設置され、前記第二回転ピン軸の右側末端に前記転送筐体に挿し込む前記第一円錐形プーリーと動力が伝達可能なように係合し接続される第二円錐形プーリーが固定的に設置され、前記第二外スプラインアームが対応する前記安置筐体の左側内壁に第二内スプラインアームが回転可能なように係合し接続され、前記第二内スプラインアームの左側末端が第三モーターと動力が伝達可能なように係合し接続し、前記第三モーターの外表面が前記第二内スプラインアームの左側の前記箱体に固定的に設置される。
【０００８】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動してばねの押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【発明の効果】
【０００９】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動してばねの押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【図面の簡単な説明】
【００１０】
【図１】図１は本発明の自動化送り設備の外部全体構造概略図である。
【図２】図２は本発明の主台体の内部構造概略図である。
【図３】図３は本発明の取付体の構造概略図である。
【発明を実施するための形態】
【００１１】
下記では図1〜3を交え、本発明について詳しく説明する。
【００１２】
図1~3を参照し、本発明の実施例の自動化送り設備は主台体6と前記主台体6の底部に固定的に設置される支持台7を含み、前記主台体6に安置筐体61が設置され、前記安置筐体61の内頂壁に第一キャビティ62が設置され、前記第一キャビティ62の左側の前記主台体6に第一滑り移動筐体63が設置され、前記安置筐体61の内底壁に第一案内移動溝611が設置され、前記第一案内移動溝611に第一案内移動ブロック613が摺動可能なように係合して接続され、前記第一案内移動ブロック613に左右に伸びて設置される第一ねじレバー612がねじで係合し接続され、前記主台体6の右側端面に前記安置筐体61に挿し込む箱体5が摺動可能なように係合して接続され、前記箱体5の底部の左側縁部に近づく所が前記第一案内移動ブロック613の底部端面と固定的に係合し接続し、前記安置筐体61の左側内壁に第二案内移動溝64が設置され、前記第二案内移動溝64の左側内壁に上に伸びて設置される第二滑り移動筐体65が設置され、前記第二滑り移動筐体65の頂部延長末端が前記第一滑り移動筐体63の底部端と連結するように設置し、前記第二案内移動溝64に第二案内移動ブロック641が摺動可能なように係合して接続され、前記第二案内移動ブロック641の右側末端に前記安置筐体61に挿し込む斜ブロック642が固定的に設置され、前記第二案内移動ブロック641に上下に伸びて設置される案内移動レバー643が摺動可能なように係合して接続され、前記第二案内移動ブロック641の上側の前記案内移動レバー643の外表面にばね644が回転可能なように設置され、前記第二滑り移動筐体65に第一滑り移動ブロック651が摺動可能なように係合して接続され、前記第一滑り移動ブロック651の右側端面の底部位置に近づく所が前記第二案内移動ブロック641の左端末端と固定的に係合し接続し、前記第一滑り移動ブロック651の頂部に斜状部652が固定的に設置され、前記第一滑り移動筐体63に第二滑り移動ブロック631が摺動可能なように係合して接続され、前記第二滑り移動ブロック631の左側末端と前記第一滑り移動筐体63の左側内壁の間にラケット633が固定的に設置され、前記第二滑り移動ブロック631の底部端面に前記斜状部652と押圧し摺動可能なように係合して接続される斜状溝632が設置され、前記第二滑り移動ブロック631の右側端面に第一内スプラインアーム635が回転可能なように係合し接続され、前記第一内スプラインアーム635の左側末端に第一モーター634が動力が伝達可能なように接続され、前記第一モーター634の外表面が前記第一内スプラインアーム635の左側の前記第二滑り移動ブロック631に固定的に設置され、前記第一滑り移動筐体63と前記第一キャビティ62の間の部分に左右に伸びて設置される第一回転ピン軸636が回転可能なように係合し接続され、前記第一回転ピン軸636の左側末端に前記第一滑り移動筐体63に挿し込む第一外スプラインアーム637が固定的に設置され、前記第一回転ピン軸636の右側末端に前記第一キャビティ62に挿し込む取付体621が固定的に設置され、前記取付体621の底部に加工機体622が固定的に設置される。
【００１３】
好ましくは、前記第一ねじレバー612の左側延長末端が第二モーター614と動力が伝達可能なように係合し接続され、前記第二モーター614の外表面は前記第一案内移動溝611の左側内壁に固定的に設置され、前記第一ねじレバー612の右側末端が前記第一案内移動溝611の右側内壁と回転可能なように係合し接続され、前記案内移動レバー643の上下両側の延長末端がそれぞれ前記第二案内移動溝64の上下内壁と固定的に係合し接続され、これにより本装置の運行安定性を高める。
【００１４】
好ましくは、前記箱体5の左側端面に前記斜ブロック642と押圧し摺動可能なように係合し接続される斜状筐体52が設置され、前記箱体5の頂部端面に積載筐体51が設置され、前記積載筐体51の下側の前記箱体5に転送筐体53が設置され、前記積載筐体51に平板511が摺動可能なように係合して接続され、前記平板511の底部端面に下に延びて設置される管セット512が固定的に設置され、前記管セット512に下に延びて設置される第二ねじレバー513がねじで係合し接続され、前記転送筐体53の内頂壁に第一円錐形プーリー531が回転可能なように係合し接続され、前記第二ねじレバー513の底部延長末端が前記第一円錐形プーリー531の頂部末端と動力が伝達可能なように係合し接続され、前記転送筐体53の左側の前記箱体5に左右に延びて設置される第二回転ピン軸533が回転可能なように係合し接続され、前記第二回転ピン軸533の左側末端に前記箱体5の左側端面外に伸びる第二外スプラインアーム634が設置され、前記第二回転ピン軸533の右側末端に前記転送筐体53に挿し込む前記第一円錐形プーリー531と動力が伝達可能なように係合し接続される第二円錐形プーリー532が固定的に設置され、前記第二外スプラインアーム634が対応する前記安置筐体61の左側内壁に第二内スプラインアーム615が回転可能なように係合し接続され、前記第二内スプラインアーム615の左側末端が第三モーター614と動力が伝達可能なように係合し接続し、前記第三モーター614の外表面が前記第二内スプラインアーム615の左側の前記箱体5に固定的に設置され、これにより自動的に平板511の昇降作業を制御し、異なる送りの作業需要を満足し、仕事の効率を大きく高める。
【００１５】
初期状態の時に、箱体5の右側延長末端が最大程度に主台体6の右側端面の外に伸びて、この時に箱体5の頂部端面の積載筐体51が完全に主台体6の右側端面に伸びて、同時に第一案内移動ブロック613が第一案内移動溝611の一番右側の位置に位置し、この時に第二案内移動ブロック641がばね644の押圧力のもとで第二案内移動溝64の一番底部位置にスライドし、同時に第二案内移動ブロック641が第一滑り移動ブロック651と連動して最大程度に第二滑り移動筐体65の一番底部位置にスライドし、この時に第二案内移動ブロック641が斜状部652と連動して第二滑り移動筐体65に完全に挿し込んで、同時に第二滑り移動ブロック631がラケット633の伸張力のもとで最大程度に第一滑り移動筐体63の左側位置に移動し、この時に第二滑り移動ブロック631が第一内スプラインアーム635と連動して最大程度に第一外スプラインアーム637と離れる。
【００１６】
材料を送って作業する時に、送る必要な材料を積載筐体51の平板511の頂部に置いて、次に第二モーター614を制御し第一ねじレバー612と連動して回転し、第一ねじレバー612が第一案内移動ブロック613と連動して第一案内移動溝611の左側方向にスライドし、同時に第一案内移動ブロック613が箱体5と連動して安置筐体61に挿し込み、第一案内移動ブロック613が第一案内移動溝611の一番左側位置にスライドする時、第一案内移動ブロック613が箱体5と連動して完全に安置筐体61に挿し込み、同時に、斜状筐体52が斜状ブロック642と押圧し摺動可能なように係合し、同時に箱体5の左側端の第二外スプラインアーム534が第二内スプラインアーム615と完全に動力が伝達可能なように係合し接続し、斜状ブロック642が第二案内移動ブロック641と連動してばね644の押圧力を克服し第二案内移動溝64の一番頂部位置にスライドし、同時に斜状ブロック642が斜状筐体52の一番頂部位置にスライドし、この時に第二案内移動ブロック641が第一滑り移動ブロック651の頂部の斜状部652と斜状溝632と連動して押圧し摺動可能なように係合して作業し、斜状部652が最大程度に第二滑り移動ブロック631と連動してラケット633の伸張力を克服し第一滑り移動筐体63の一番右側位置にスライドし、同時に第一内スプラインアーム635と第一外スプラインアーム637が完全に動力が伝達可能なように係合し接続し、第二モーター614が第二内スプラインアーム615を制御し第二外スプラインアーム534と第二回転ピン軸533と第二円錐形プーリー532と連動して回転し、第二円錐形プーリー532が第一円錐形プーリー531と第二ねじレバー513と連動して回転し、第二ねじレバー513が管セット512の頂部の平板511と連動して上下昇降スライド作業を実現し、第一モーター634が第一内スプラインアーム635と第一外スプラインアーム637と第一回転ピン軸636を制御し回転し、第一回転ピン軸636が取付体621の底部の加工機体622と連動して角度調整作業を行う。
【００１７】
本発明の有益な効果は、本発明は構造が簡単で、操作が便利で、送る必要な材料を積載筐体の平板の頂部に置いて、次に第二モーターを制御し第一ねじレバーと連動して回転し、第一ねじレバーが第一案内移動ブロックと連動して第一案内移動溝の左側方向にスライドし、同時に第一案内移動ブロックが箱体と連動して安置筐体に挿し込み、第一案内移動ブロックが第一案内移動溝の一番左側位置にスライドする時、第一案内移動ブロックが箱体と連動して完全に安置筐体に挿し込み、同時に、斜状筐体が斜状ブロックと押圧し摺動可能なように係合し、同時に箱体の左側端の第二外スプラインアームが第二内スプラインアームと完全に動力が伝達可能なように係合し接続し、斜状ブロックが第二案内移動ブロックと連動してばねの押圧力を克服し第二案内移動溝の一番頂部位置にスライドし、同時に斜状ブロックが斜状筐体の一番頂部位置にスライドし、この時に第二案内移動ブロックが第一滑り移動ブロックの頂部の斜状部と斜状溝と連動して押圧し摺動可能なように係合して作業し、斜状部が最大程度に第二滑り移動ブロックと連動してラケットの伸張力を克服し第一滑り移動筐体の一番右側位置にスライドし、同時に第一内スプラインアームと第一外スプラインアームが完全に動力が伝達可能なように係合し接続し、第二モーターが第二内スプラインアームを制御し第二外スプラインアームと第二回転ピン軸と第二円錐形プーリーと連動して回転し、第二円錐形プーリーが第一円錐形プーリーと第二ねじレバーと連動して回転し、第二ねじレバーが管セットの頂部の平板と連動して上下昇降スライド作業を実現し、第一モーターが第一内スプラインアームと第一外スプラインアームと第一回転ピン軸を制御し回転し、第一回転ピン軸が取付体の底部の加工機体と連動して角度調整作業を行い、送りの均一性を高めて、自動制御昇降作業を実現でき、異なる送りの調整作業を満足でき、仕事効率を大きく高める。
【００１８】
本分野の技術者にとって明確なのは、本発明の全体精神と構想から離れない場合において、上記の実施例に各種な取替ができることである。それらの取替は全部本発明の保護範囲にある。本発明の保護方案は添付した特許請求の範囲を基準とする。